【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ビデオ情報を符号化するように構成された装置であって、
前記装置は、
基準層と対応する拡張層に関連付けられるビデオ情報を記憶するための手段と、
前記基準層と前記拡張層と関連付けられる前記ビデオ情報に少なくとも部分的に基づいて残差ブロック情報を取得するための手段と、
前記ビデオ情報と関連付けられる変換関数の少なくとも一部に調整関数を適用することによって調整された変換関数を決定するための手段と、
前記調整された変換関数と前記残差ブロック情報に基づいて変換ブロックを決定するための手段と、
を備え、
前記変換関数は第１の変換行列および第２の変換行列を備え、前記第１の変換行列、前記第２の変換行列、またはその両方は、ディスクリートコサイン変換、ディスクリートサイン変換、アダマール変換、ハール変換を備えるグループから選択された変換に対応する、
装置。
【請求項２】
前記第１の変換行列は１つまたは複数の行を備え、各行は１つまたは複数の変換ベースを備え、前記第２の変換行列は１つまたは複数の行を備え、各行は１つまたは複数の変換ベースを備え、そこにおいて、前記調整された変換関数を決定するための手段は前記第１の変換行列と前記第２の変換行列のうちの１つまたは両方に基づいて前記調整された変換関数を決定するようにさらに構成される、請求項１に記載の装置。
【請求項３】
前記調整関数は、前記第１の変換行列の少なくとも１つの行において前記変換ベースのうちの少なくともいくつかのものの順序を反転させるか、あるいは前記第１の変換行列の前記行の少なくともいくつかのものの前記順序を反転させるように構成される、請求項１に記載の装置。
【請求項４】
前記第１の変換行列は、前記第２の変換行列の転置行列である、請求項１に記載の装置。
【請求項５】
前記調整された変換関数を決定するための手段は、前記ビデオ情報に基づいて前記調整された変換関数を決定するようにさらに構成され、前記ビデオ情報は、符号化ユニット（ＣＵ）モード、ＣＵサイズ、変換ユニット（ＴＵ）サイズ、フレームタイプ、フレームサイズ、量子化パラメータ（ＱＰ）、時間層、および構文解析された残差係数情報を備えるグループから選択され、前記構文解析された残差係数情報は、最後の非ゼロ係数の位置、非ゼロ係数の数、および１つまたは複数の係数の大きさを備えるグループから選択される、請求項１記載の装置。
【請求項６】
前記調整された変換関数を決定するための手段は、（ａ）前記ビデオ情報が予め決定された符号化モードに対応するか、（ｂ）前記拡張層のＱＰと前記基準層のＱＰの間の差分が予め決定された閾値より小さいか、あるいは（ａ）および（ｂ）の両方の場合のみ前記調整された変換関数を決定するように構成される、請求項１に記載の装置。
【請求項７】
前記装置が、前記変換ブロックを用いて前記ビデオ情報をエンコードし、および／または前記変換ブロックを用いて前記ビデオ情報をデコードするようにさらに構成される、請求項１に記載の装置。
【請求項８】
前記残差ブロック情報を取得するための手段と、前記調整された変換関数を決定するための手段と、前記変換ブロックを決定するための手段と、を備えるデバイスをさらに備え、そこにおいて、前記デバイスは、デスクトップコンピュータ、ノートブックコンピュータ、ラップトップコンピュータ、タブレットコンピュータ、セットトップボックス、テレフォンハンドセット、スマートフォン、スマート・パッド、テレビジョン、カメラ、ディスプレイデバイス、デジタル・メディア・プレーヤー、ビデオゲームコンソール、またはビデオストリーミングデバイスを備えるグループから選択される、請求項１に記載の装置。
【請求項９】
ビデオ情報をデコードする方法であって、
前記方法は、
基準層と対応する拡張層に関連付けられるビデオ情報を記憶することと、
前記基準層と前記拡張層と関連付けられる前記ビデオ情報に少なくとも部分的に基づいて残差ブロック情報を取得することと、
前記ビデオ情報と関連付けられる変換関数の少なくとも一部に調整関数を適用することによって調整された変換関数を決定することと、
前記調整された変換関数と前記残差ブロック情報に基づいて変換ブロックを決定することと、
前記変換ブロックを用いて前記ビデオ情報をデコードすること、
を備え、
前記変換関数は第１の変換行列および第２の変換行列を備え、前記第１の変換行列、前記第２の変換行列、またはその両方は、ディスクリートコサイン変換、ディスクリートサイン変換、アダマール変換、ハール変換を備えるグループから選択された変換に対応する、
方法。
【請求項１０】
ビデオ情報をエンコードする方法であって、
前記方法は、
基準層と対応する拡張層に関連付けられるビデオ情報を記憶することと、
前記基準層と前記拡張層と関連付けられる前記ビデオ情報に少なくとも部分的に基づいて残差ブロック情報を取得することと、
前記ビデオ情報と関連付けられる変換関数の少なくとも一部に調整関数を適用することによって調整された変換関数を決定することと、
前記調整された変換関数と前記残差ブロック情報に基づいて変換ブロックを決定することと、
前記変換ブロックを用いて前記ビデオ情報をエンコードすることと、
を備え、
前記変換関数は第１の変換行列および第２の変換行列を備え、前記第１の変換行列、前記第２の変換行列、またはその両方は、ディスクリートコサイン変換、ディスクリートサイン変換、アダマール変換、ハール変換を備えるグループから選択された変換に対応する、
方法。
【請求項１１】
前記第１の変換行列は１つまたは複数の行を備え、各行は１つまたは複数の変換ベースを備え、前記第２の変換行列は１つまたは複数の行を備え、各行は１つまたは複数の変換ベースを備え、前記第１の変換行列は、前記第２の変換行列の転置行列であり、および前記方法は、前記第１の変換行列と前記第２の変換行列のうちの１つまたは両方に基づいて前記調整された変換関数を決定することをさらに備える、請求項９または１０に記載の方法。
【請求項１２】
前記変換関数を適用することは、前記第１の変換行列の少なくとも１つの行において前記変換ベースのうちの少なくともいくつかのものの順序を反転させること、あるいは前記第１の変換行列の前記行の少なくともいくつかのものの前記順序を反転させること備える、請求項９または１０に記載の方法。
【請求項１３】
前記ビデオ情報に基づいて、前記調整された変換関数を決定することをさらに備え、前記ビデオ情報は、符号化ユニット（ＣＵ）モード、ＣＵサイズ、変換ユニット（ＴＵ）サイズ、フレームタイプ、フレームサイズ、ＱＰ、時間層、および構文解析された残差係数情報を備える前記グループから選択され、前記構文解析された残差係数情報は、最後の非ゼロ係数の位置、非ゼロ係数の数、および１つまたは複数の係数の大きさを備える前記グループから選択される、請求項９または１０に記載の方法。
【請求項１４】
前記調整された変換関数は、（ａ）前記ビデオ情報が予め決定された符号化モードに対応するか、（ｂ）前記拡張層のＱＰと前記基準層のＱＰの間の差分が予め決定された閾値より小さいか、あるいは（ａ）および（ｂ）の両方の場合のみ決定される、請求項９または１０に記載の方法。
【請求項１５】
計算デバイスによって実行される時に、請求項９−１４のいずれかにしたがって前記方法を実行することを前記計算デバイスにさせるコンピュータ実行可能な命令を有するコンピュータ可読媒体。